(57)【要約】【課題】折り畳み可能に連接した２つの紙片部が折り畳まれて剥離可能に貼着された隠蔽はがきにおいて、２つの紙片部に表示された情報が見にくくなりづらく、かつ、２つの紙片部が同一の形状を有するものであっても２つの紙片部を剥離した後に再度折り畳んで保管しやすくする。【解決手段】折り畳み可能に連接した２つの紙片部１０ａ，１０ｂが折り部３０を介して折り畳まれて剥離可能に貼着された隠蔽はがき１において、２つの紙片部１０ａ，１０ｂは、２つの紙片部１０ａ，１０ｂが折り部３０を介して折り畳まれた場合に互いに重なり合う領域に、折り部３０に対向する辺部からジグザグ状に延びた切り込み１１ａ，１１ｂが形成されている。【選択図】図１
2010162836.tif 000002
【特許請求の範囲】
【請求項１】
折り畳み可能に連接した２つの紙片部が折り部を介して折り畳まれて剥離可能に貼着された隠蔽はがきにおいて、
前記２つの紙片部は、当該２つの紙片部が前記折り部を介して折り畳まれた場合に互いに重なり合う領域に、前記折り部に対向する辺部からジグザグ状に延びた切り込みが形成されていることを特徴とする隠蔽はがき。
【発明の詳細な説明】
【技術分野】
【０００１】
本発明は、折り畳み可能に連接した２つの紙片部が折り畳まれて剥離可能に貼着される隠蔽はがきに関し、特に、剥離後に再度折り畳んで保管する際の形状保持技術に関する。
【背景技術】
【０００２】
郵便物として送付される送付体においては、その形状や重量によって料金が異なっており、一般に送付される送付体としては、第二種郵便物である通常はがきが最も安価である。ところが、この通常はがきは、定形形状の紙片の表裏のみを用いて情報を通知することになるため、送付先に多くの量の情報を通知することが困難である。
【０００３】
そこで、近年、はがきとしての定形形状を有する２つの紙片が剥離可能に貼着された隠蔽はがきが用いられている（例えば、特許文献１参照。）。このような隠蔽はがきにおいては、例えば、感圧性の接着剤を２つの紙片の貼着面に塗布しておき、２つの紙片を折り畳んで加圧することによりこれら２つの紙片を剥離可能に貼着することができる。そして、互いに剥離可能に貼着される２つの紙片がそれぞれはがきの定形形状を有するものであることから、通常はがきの料金で送付することができながらも、剥離可能に貼着された２つの紙片の表裏にそれぞれ情報を記載することができることから、通常はがきよりも多くの情報を送付先に通知することができ、また、送付途中において、２つの紙片の貼着面に表示された情報を隠蔽することができる。
【０００４】
上述したような２つの紙片が剥離可能に貼着された隠蔽はがきにおいては、はがきの送付先に届けられた後、２つの紙片が剥離されることにより、２つの紙片の貼着面に表示された情報がこの隠蔽はがきの送付先に通知されることになる。
【０００５】
図５は、２つの紙片が剥離可能に貼着された隠蔽はがきが送付先に届けられて２つの紙片が剥離された状態を示す図であり、（ａ）は２つの紙片を剥離して見開いた状態を示す図、（ｂ）は２つの紙片を再度折り畳んだ状態を示す図である。
【０００６】
図５（ａ）に示すように、２つの紙片部３１０ａ，３０１ｂが折り部３３０を介して折り畳まれ、紙片部３１０ａ，３０１ｂの互いの貼着面に塗布された感圧性接着剤３２０によって紙片部３１０ａ，３０１ｂが剥離可能に貼着された隠蔽はがき３０１は、２つの紙片部３１０ａ，３０１ｂを剥離することによって見開くことができる。
【０００７】
その後、この隠蔽はがき３０１を保管するために、２つの紙片部３１０ａ，３０１ｂを見開いた状態から折り部３３０を介して再度折り畳むと、図５（ｂ）に示すように、剥離した２つの紙片部３１０ａ，３０１ｂのうち少なくとも一方が反り返り、２つの紙片部３１０ａ，３１０ｂが互いに離反してしまう。
【０００８】
そのため、２つの紙片部３１０ａ，３１０ｂを一度剥離した場合、２つの紙片部３１０ａ，３０１ｂを再度折り畳んで保管しにくくなってしまう。
【０００９】
ここで、互いに剥離可能に貼着される２つの紙片部の一方に、他方の紙片部の端縁を係止する押さえ爪を形成し、その押さえ爪を起こして他方の紙片部の端縁をこの押さえ爪の下部に入り込ませ、それにより、剥離した２つの紙片部が離反してしまうことを防止する技術が考えられている（例えば、特許文献２参照。）。この技術を用いれば、互いに剥離可能に貼着された２つの紙片部を剥離して見開いた後、これら２つの紙片部を再度折り畳んだ際に、２つの紙片部が離反することを防止することができる。
【先行技術文献】
【特許文献】
【００１０】
【特許文献１】特開平４−３７５９４号公報
【特許文献２】特開平６−２３９０６３号公報
【発明の概要】
【発明が解決しようとする課題】
【００１１】
しかしながら、上述したように互いに剥離可能に貼着される２つの紙片部の一方に、他方の紙片部の端縁を係止する押さえ爪を形成し、その押さえ爪を起こして他方の紙片部の端縁をこの押さえ爪の下部に入り込ませ、それにより、剥離した２つの紙片部が離反してしまうことを防止するものにおいては、互いに剥離可能に貼着される２つの紙片部の一方の内部に、他方の紙片部の端縁がその下部に入り込むことができるような押さえ爪を形成しなければならないため、一方の紙片部のうち押さえ爪が形成される領域に表示される情報が見にくくなってしまうという問題点がある。また、上述したように２つの紙片部が折り畳まれて剥離可能に貼着されるものにおいては、一般に２つの紙片部が同一の形状を有するものであるが、その場合、上述したような押さえ爪を有する構成を採用することができないという問題点がある。
【００１２】
本発明は、上述したような従来の技術が有する問題点に鑑みてなされたものであって、折り畳み可能に連接した２つの紙片部が折り畳まれて剥離可能に貼着される隠蔽はがきにおいて、２つの紙片部に表示された情報が見にくくなりづらく、かつ、２つの紙片部が同一の形状を有するものであっても２つの紙片部を剥離した後に再度折り畳んで保管しやすくすることができる隠蔽はがきを提供することを目的とする。
【課題を解決するための手段】
【００１３】
上記目的を達成するために本発明は、
折り畳み可能に連接した２つの紙片部が折り部を介して折り畳まれて剥離可能に貼着された隠蔽はがきにおいて、
前記２つの紙片部は、当該２つの紙片部が前記折り部を介して折り畳まれた場合に互いに重なり合う領域に、前記折り部に対向する辺部からジグザグ状に延びた切り込みが形成されていることを特徴とする。
【００１４】
上記のように構成された本発明においては、剥離可能に貼着された２つの紙片部を剥離して見開いた後、折り部を介して再度折り畳み、２つの紙片部にそれぞれ形成された切り込みによって分離される２つの領域を紙片部の厚さ方向にずらすと、紙片部に形成された切り込みがジグザグ状であることから、厚さ方向にずれた２つの領域がジグザグ状の切り込みによって互いに係止しやすくなり、それにより、２つの紙片部のうち一方が反り返って２つの紙片部が離反しにくくなり、再度折り畳んで保管しやすくなる。
【発明の効果】
【００１５】
以上説明したように本発明にいては、折り畳み可能に連接した２つの紙片部が折り部を介して折り畳まれて剥離可能に貼着された隠蔽はがきにおいて、２つの紙片部は、２つの紙片部が折り部を介して折り畳まれた場合に互いに重なり合う領域に、折り部に対向する辺部からジグザグ状に延びた切り込みが形成されており、２つの紙片部を剥離して見開いた後、折り部を介して再度折り畳んで２つの紙片部を係止する構成が２つの紙片部の辺部に沿う領域に設けられているため、２つの紙片部に表示された情報が見にくくなりづらく、かつ、２つの紙片部が同一の形状を有するものであっても２つの紙片部を剥離した後に再度折り畳んで保管しやすくすることができる。
【図面の簡単な説明】
【００１６】
【図１】本発明の隠蔽はがきの実施の一形態を示す図であり、（ａ）は表面図、（ｂ）は（ａ）に示したＡ−Ａ’断面図、（ｃ）は２つの紙片部を見開いた状態を示す図、（ｄ）は（ａ）に示した切り込み間の距離を説明するための図である。
【図２】図１に示した隠蔽はがきの使用方法を説明するための図である。
【図３】本発明の隠蔽はがきの他の実施の形態を示す図であり、（ａ）は表面図、（ｂ）は（ａ）に示したＡ−Ａ’断面図、（ｃ）は２つの紙片部を見開いた状態を示す図である。
【図４】本発明の隠蔽はがきの他の実施の形態を示す図であり、（ａ）は表面図、（ｂ）は（ａ）に示したＡ−Ａ’断面図、（ｃ）は２つの紙片部を見開いた状態を示す図である。
【図５】２つの紙片が剥離可能に貼着された隠蔽はがきが送付先に届けられて２つの紙片が剥離された状態を示す図であり、（ａ）は２つの紙片を剥離して見開いた状態を示す図、（ｂ）は２つの紙片を再度折り畳んだ状態を示す図である。
【発明を実施するための形態】
【００１７】
以下に、本発明の実施の形態について図面を参照して説明する。
【００１８】
図１は、本発明の隠蔽はがきの実施の一形態を示す図であり、（ａ）は表面図、（ｂ）は（ａ）に示したＡ−Ａ’断面図、（ｃ）は２つの紙片部１０ａ，１０ｂを見開いた状態を示す図、（ｄ）は（ａ）に示した切り込み１１ａ，１３間の距離を説明するための図である。
【００１９】
本形態は図１に示すように、外形が同一である２つの紙片部１０ａ，１０ｂが折り部３０を介して折り畳み可能に連接して構成され、紙片部１０ａ，１０ｂの一方の全面に貼着後の剥離が可能な感圧性接着剤２０が塗布されており、感圧性接着剤２０が塗布された面が内側となるように折り部３０を介して折り畳まれて使用される。
【００２０】
紙片部１０ａは、折り部３０を介して折り畳まれた場合に外側となる面に、この隠蔽はがき１の送付先の住所や氏名等からなる宛先情報１４が表示されているとともに、折り部３０を介して折り畳まれた場合に内側となる面に、この隠蔽はがき１の送付先に通知すべき通知情報１５ａが表示されている。また、紙片部１０ａには、折り部３０に対向する辺部から、この辺部に沿う方向に対して斜めの方向にジグザグ状に延びた切り込み１１ａが形成されているとともに、貼着された２つの紙片部１０ａ，１０ｂを剥離する際に剥離開始端部となる切り込み１３が形成されている。
【００２１】
紙片部１０ｂは、折り部３０を介して折り畳まれた場合に内側となる面に、この隠蔽はがき１の送付先に通知すべき通知情報１５ｂが表示されている。また、紙片部１０ｂには、紙片部１０ａ，１０ｂが折り部３０を介して折り畳まれた場合に、紙片部１０ａに形成された切り込み１１ａと重なり合うように切り込み１１ｂが形成されている。すなわち、この切り込み１１ｂにおいても、紙片部１０ｂの、折り部３０に対向する辺部からこの辺部に沿う方向に対して斜めの方向にジグザグ状に延びて形成されている。なお、紙片部１０ｂにおいても、紙片部１０ａの切り込み１３に対向する領域が、紙片部１０ａ，１０ｂを剥離する際の剥離開始端部となる。
【００２２】
紙片部１０ａ，１０ｂにそれぞれ形成された切り込み１１ａ，１１ｂは、上述したように、紙片部１０ａ，１０ｂの折り部３０に対向する辺部からこの辺部に沿う方向に対して斜めの方向にジグザグ状に延びて形成されているが、図１（ｄ）に示すように、剥離開始端部となる切り込み１３から折り部３０に対向する辺部側の一端までの距離ｌ1が、切り込み１３から他端までの距離ｌ2よりも長くなるような角度で形成されている。
【００２３】
以下に、上記のように構成された隠蔽はがき１の使用方法について説明する。
【００２４】
図２は、図１に示した隠蔽はがき１の使用方法を説明するための図である。
【００２５】
図１に示した隠蔽はがき１は、図１（ａ），（ｂ）に示したように、２つの紙片部１０ａ，１０ｂが折り部３０を介して折り畳まれ、感圧性接着剤２０によって剥離可能に貼着された状態で、紙片部１０ａに表示された宛先情報１４に従って送付先に送付される。
【００２６】
隠蔽はがき１が送付先に送付された後、紙片部１０ａ，１０ｂに表示された通知情報１５ａ，１５ｂを見るために、切り込み１３を剥離開始端部として紙片部１０ｂから紙片部１０ａを剥離していく。すると、２つの紙片部１０ａ，１０ｂの剥離領域が、切り込み１１ａ，１１ｂが形成された領域に達するが、図１（ｄ）に示したように、切り込み１１ａ，１１ｂが、切り込み１３から折り部３０に対向する辺部側の一端までの距離ｌ1が、切り込み１３から他端までの距離ｌ2よりも長くなるような角度で形成されているため、図２（ａ）に示すように、２つの紙片部１０ａ，１０ｂの剥離領域が、まず、切り込み１１ａ，１１ｂの折り部３０に対向する辺部側とは反対側の端部に達し、その後、切り込み１１ａ，１１ｂの他の領域が剥離されていくことになる。これにより、紙片部１０ｂから紙片部１０ａを剥離する際に、紙片部１０ａの切り込み１１ａを介して分離された２つの領域のうち一方が紙片部１０ａとともに捲れ上がり、他方が紙片部１０ｂに貼着されたままとなって紙片部１０ａが裂けにくくすることができる。
【００２７】
２つの紙片部１０ａ，１０ｂを剥離して完全に見開くと、図２（ｂ）に示すように、紙片部１０ａ，１０ｂにそれぞれ表示された通知情報１５ａ，１５ｂが視認可能な状態となり、それにより、この隠蔽はがき１の送付先に通知情報１５ａ，１５ｂが通知されることになる。
【００２８】
その後、この隠蔽はがき１を折り畳んで保管する場合は、まず、図２（ｃ）に示すように、２つの紙片部１０ａ，１０ｂを折り部３０を介して折り畳む。しかし、この状態では、紙片部１０ａ，１０ｂのうち少なくとも一方が反り返ってしまい、２つの紙片部１０ａ，１０ｂが互いに離反してしまう。
【００２９】
そこで、図２（ｄ）に示すように、２つの紙片部１０ａ，１０ｂを折り部３０を介して折り畳んだ状態において、紙片部１０ａ，１０ｂの折り部３０に対向する辺部に沿う領域を、切り込み１１ａ，１１ｂを分離部１２として２つの領域に分離してこの２つの領域を紙片部１０ａ，１０ｂの厚さ方向にずらす。
【００３０】
すると、紙片部１０ａ，１０ｂの分離部１２の形状が、切り込み１１ａ，１１ｂの形状によってジグザグ状となっていることから、図２（ｅ），（ｆ）に示すように、厚さ方向にずれた２つの領域の分離部１２となる領域が、分離した２つの領域が若干ずれるだけでジグザグ状の切り込み１１ａ，１１ｂによって互いに係止しやすくなり、それにより、紙片部１０ａ，１０ｂのうち少なくとも一方が反り返って２つの紙片部１０ａ，１０ｂが離反しにくくなり、２つの紙片部１０ａ，１０ｂを折り部３０を介して折り畳んだ状態で保管することができる。
【００３１】
このように、本形態においては、２つの紙片部１０ａ，１０ｂを剥離して見開いた後、折り部３０を介して再度折り畳んで２つの紙片部１０ａ，１０ｂを係止する構成が２つの紙片部１０ａ，１０ｂの辺部から延びた切り込み１１ａ，１１ｂとなっているため、その構成が紙片部１０ａ，１０ｂの辺部に沿う領域に設けられていることとなり、それにより、２つの紙片部１０ａ，１０ｂに表示された情報が見にくくなりづらく、かつ、２つの紙片部１０ａ，１０ｂが同一の形状を有するものであっても２つの紙片部１０ａ，１０ｂを剥離した後に再度折り畳んで保管しやすくすることができる。
【００３２】
（他の実施の形態）
図３は、本発明の隠蔽はがきの他の実施の形態を示す図であり、（ａ）は表面図、（ｂ）は（ａ）に示したＡ−Ａ’断面図、（ｃ）は２つの紙片部１１０ａ，１１０ｂを見開いた状態を示す図である。
【００３３】
本形態は図３に示すように、図１に示したものに対して、紙片部１１０ａ，１１０ｂに形成された切り込み１１１ａ，１１１ｂが、折り部１３０に対向する辺部から折り部１３０に向かう方向に山谷が連続してなる波線状に延びているものである点のみが異なるものである。
【００３４】
上記のように構成された隠蔽はがき１０１においても、２つの紙片部１１０ａ，１１０ｂを剥離後に、折り部１３０を介して折り畳んだ状態において、紙片部１１０ａ，１１０ｂの折り部１３０に対向する辺部に沿う領域を、切り込み１１１ａ，１１１ｂを介して２つの領域に分離してこの２つの領域を紙片部１１０ａ，１１０ｂの厚さ方向にずらすと、切り込み１１１ａ，１１１ｂの形状が波線状となっていることから、厚さ方向にずれた２つの領域の一部が、分離した２つの領域が若干ずれるだけで波線状の切り込み１１１ａ，１１１ｂによって互いに係止しやすくなり、それにより、紙片部１１０ａ，１１０ｂのうち少なくとも一方が反り返って２つの紙片部１１０ａ，１１０ｂが離反しにくくなり、２つの紙片部１１０ａ，１１０ｂを折り部１３０を介して折り畳んだ状態で保管することができる。
【００３５】
図４は、本発明の隠蔽はがきの他の実施の形態を示す図であり、（ａ）は表面図、（ｂ）は（ａ）に示したＡ−Ａ’断面図、（ｃ）は２つの紙片部２１０ａ，２１０ｂを見開いた状態を示す図である。
【００３６】
本形態は図４に示すように、図１に示したものに対して、紙片部２１０ａ，２１０ｂに形成された切り込み２１１ａ，２１１ｂが、折り部２３０に対向する辺部から折り部２３０に向かう方向にメアンダ状に延びているものである点のみが異なるものである。
【００３７】
上記のように構成された隠蔽はがき２０１においても、２つの紙片部２１０ａ，２１０ｂを剥離後に、折り部２３０を介して折り畳んだ状態において、紙片部２１０ａ，２１０ｂの折り部２３０に対向する辺部に沿う領域を、切り込み２１１ａ，２１１ｂを介して２つの領域に分離してこの２つの領域を紙片部２１０ａ，２１０ｂの厚さ方向にずらすと、切り込み２１１ａ，２１１ｂの形状がメアンダ状となっていることから、厚さ方向にずれた２つの領域の一部が、分離した２つの領域が若干ずれるだけでメアンダ状の切り込み２１１ａ，２１１ｂによって互いに係止しやすくなり、それにより、紙片部２１０ａ，２１０ｂのうち少なくとも一方が反り返って２つの紙片部２１０ａ，２１０ｂが離反しにくくなり、２つの紙片部２１０ａ，２１０ｂを折り部２３０を介して折り畳んだ状態で保管することができる。
【００３８】
なお、図３、図４に示したものにおいては、図３に示したものが切り込み１１１ａ，１１１ｂとして波線状のもの、図４に示したものが切り込み２１１ａ，２１１ｂとしてメアンダ状のものを用いているが、これら波線状やメアンダ状のものも含めて本発明においてはジグザグ状と称する。
【００３９】
また、上述した実施の形態においては、紙片部１０ａ，１０ｂ，１１０ａ，１１０ｂ，２１０ａ，２１０ｂにそれぞれ形成された切り込み１１ａ，１１１ａ，２１１ａと切り込み切り込み１１ｂ，１１１ｂ，２１１ｂとは、互いに重なり合う形状となっているが、紙片部１０ａ，１０ｂ，１１０ａ，１１０ｂ，２１０ａ，２１０ｂが折り部３０，１３０，２３０を介して折り畳まれた場合に互いに重なり合う領域に形成されていれば、若干ずれて重なるような形状であってもよい。
【００４０】
また、切り込み１１ａ，１１ｂ，１１１ａ，１１１ｂ，２１１ａ，２１１ｂの折り部３０，１３０，２３０に対向する辺部側の端部にタイ部を設けたり、切り込み１１ａ，１１ｂ，１１１ａ，１１１ｂ，２１１ａ，２１１ｂをミシン目で構成したりすることにより、紙片部１０ａ，１０ｂ，１１０ａ，１１０ｂ，２１０ａ，２１０ｂが互いに貼着された状態において、紙片部１０ａ，１０ｂ，１１０ａ，１１０ｂ，２１０ａ，２１０ｂが切り込み１１ａ，１１ｂ，１１１ａ，１１１ｂ，２１１ａ，２１１ｂによって裂けてしまうことを回避することができる。
【００４１】
また、上述した実施の形態においては、紙片部１０ａ，１０ｂ，１１０ａ，１１０ｂ，２１０ａ，２１０ｂに形成された切り込み１１ａ，１１ｂ，１１１ａ，１１１ｂ，２１１ａ，２１１ｂが、折り部３０，１３０，２３０に対向する辺部から折り部１３０，２３０に向かう方向に延びているが、切り込み１１ａ，１１ｂ，１１１ａ，１１１ｂ，２１１ａ，２１１ｂが、折り部３０，１３０，２３０に対向する辺部から、この辺部に沿う方向に対して斜めの方向に延びる構成とすることも考えられる。
【００４２】
また、上述した３つの実施の形態において、紙片部１０ａ，１０ｂ，１１０ａ，１１０ｂ，２１０ａ，２１０ｂの切り込み１１ａ，１１ｂ，１１１ａ，１１１ｂ，２１１ａ，２１１ｂの近傍には感圧性接着剤２０，１２０，２２０を塗布しない構成としたり、切り込み１１ａ，１１ｂ，１１１ａ，１１１ｂ，２１１ａ，２１１ｂの折り部３０，１３０，２３０と対向する辺部側にタイ部を設ける構成としたりすることにより、紙片部１０ｂ，１１０ｂ，２１０ｂから紙片部１０ａ，１１０ａ，２１０ａを剥離する際に、紙片部１０ａ，１１０ａ，２１０ａの切り込み１１ａ，１１１ａ，２１１ａを介して分離された２つの領域のうち一方が紙片部１０ａ，１１０ａ，２１０ａとともに捲れ上がり、他方が紙片部１０ｂ，１１０ｂ，２１０ｂに貼着されたままとなって紙片部１０ａ，１１０ａ，２１０ａが裂けてしまうことを回避することができる。なお、切り込み１１ａ，１１ｂ，１１１ａ，１１１ｂ，２１１ａ，２１１ｂの折り部３０，１３０，２３０と対向する辺部側にタイ部を設ける構成とした場合においても、上述したように、切り込み１１ａ，１１ｂ，１１１ａ，１１１ｂ，２１１ａ，２１１ｂが、２つの紙片部１０ａ，１０ｂ，１１０ａ，１１０ｂ，２１０ａ，２１０ｂの辺部から延びたものと定義する。
【００４３】
また、上述した実施の形態においては、２つの紙片部１０ａ，１０ｂ，１１０ａ，１１０ｂ，２１０ａ，２１０ｂを剥離可能に貼着する構成として感圧性接着剤２０，１２０，２２０を用いたものを例に挙げて説明したが、２つの紙片部１０ａ，１０ｂ，１１０ａ，１１０ｂ，２１０ａ，２１０ｂを剥離可能に貼着する構成はこれに限らず、その他に、例えば、擬似接着フィルムを用いたものやニスを塗布したもの等が考えられる。
【００４４】
また、上述した実施の形態においては、２つの紙片部１０ａ，１０ｂ，１１０ａ，１１０ｂ，２１０ａ，２１０ｂが折り部３０，１３０，２３０を介して折り畳み可能に連接し、これら２つの紙片部１０ａ，１０ｂ，１１０ａ，１１０ｂ，２１０ａ，２１０ｂが剥離可能に貼着された隠蔽はがき１，１０１，２０１を例に挙げて説明したが、本発明は、このように折り部を介して折り畳み可能に連接した２つの紙片部にさらに１つ以上の紙片部が折り部を介して折り畳み可能に連接したものを含むことは言うまでもない。その場合、連接する紙片部の数によっては、切り込みが折り部に形成されることになるが、２つの紙片部のみにおいては、その２つの紙片部が折り部を介して折り畳まれた場合に互いに重なり合う領域に、その２つの紙片部が連接する折り部に対向する辺部からジグザグ状に延びた切り込みが形成されていることになる。
【符号の説明】
【００４５】
１，１０１，２０１    隠蔽はがき
１０ａ，１０ｂ，１１０ａ，１１０ｂ，２１０ａ，２１０ｂ    紙片部
１１ａ，１１ｂ，１３，１１１ａ，１１１ｂ，１１３，２１１ａ，２１１ｂ，２１３    切り込み
１４，１１４，２１４    宛先情報
１５ａ，１５ｂ，１１５ａ，１１５ｂ，２１５ａ，２１５ｂ    通知情報
２０，１２０，２２０    感圧性接着剤
３０，１３０，２３０    折り部
【図１】
2010162836.tif 000003
【図２】
2010162836.tif 000004
【図３】
2010162836.tif 000005
【図４】
2010162836.tif 000006
【図５】
2010162836.tif 000007